(57)【特許請求の範囲】
【請求項１】
無充電の電路を接地するために該電路に接続される短絡接地器具と、
前記短絡接地器具に設けられ、該短絡接地器具によって前記電路が接地された場合に接地信号を外部に送信し、接地が解除された場合に解除信号を外部に送信する検出送信器と、
人が携帯し、前記検出送信器と通信自在に接続され表示部を有する携帯端末と、
を備え、前記携帯端末は、
前記短絡接地器具の識別情報を入力することで該短絡接地器具を特定する特定化手段と、
前記特定された短絡接地器具の検出送信器から受信した接地信号および解除信号に基づいて、該短絡接地器具が接地されているか取り外されているかを示す状態情報を前記表示部に表示する状態表示手段と、
を備えることを特徴とする短絡接地システム。
【請求項２】
前記携帯端末は、前記短絡接地器具が接地される位置を取得する位置取得手段を備え、
前記状態表示手段は、前記位置取得手段で取得された位置を地図上に前記状態情報とともに前記表示部に表示する、
ことを特徴とする請求項１に記載の短絡接地システム。
【請求項３】
前記検出送信器は、周辺を撮影するカメラを備え、前記解除信号を送信する際に前記カメラで撮影して画像を外部に送信し、
前記状態表示手段は、前記検出送信器から受信した画像を前記状態情報とともに前記表示部に表示する、
ことを特徴とする請求項１または２のいずれか１項に記載の短絡接地システム。
【請求項４】
無充電の電路を接地するために該電路に接続される短絡接地器具に、該短絡接地器具によって前記電路が接地された場合に接地信号を外部に送信し、接地が解除された場合に解除信号を外部に送信する検出送信器が設けられ、前記短絡接地器具が接地されているか取り外されているかを知得するための短絡接地用プログラムであって、コンピュータを、
前記短絡接地器具の識別情報を入力することで該短絡接地器具を特定する特定化手段と、
前記特定された短絡接地器具の検出送信器から受信した接地信号および解除信号に基づいて、該短絡接地器具が接地されているか取り外されているかを示す状態情報を表示する状態表示手段、
として機能させることを特徴とする短絡接地用プログラム。
【発明の詳細な説明】
【技術分野】
【０００１】
この発明は、短絡接地器具が接地されているか取り外されているかを知得するための、短絡接地システムおよび短絡接地用プログラムに関する。
【背景技術】
【０００２】
例えば、配電網に対する停電作業を行う場合、誤通電や他の電路との混触、あるいは他の電路からの誘導による感電の危険を防止、回避するために、短絡接地器具を用いて対象電路を確実に短絡接地する、という措置が採られている。また、停電作業が終了し、開路した電路を通電する際には、予め、作業者への感電のおそれがないことや短絡接地器具を取り外したことを確認した後に、通電を行うようにしている。
【０００３】
しかしながら、短絡接地器具の取り外しを人が行って確認するため、短絡接地器具の取り外しやその確認をし忘れたり誤ったりおそれがあり、その場合、通電する際に変電所のリレーが動作し、本来送電していた箇所も停電してしまうことになる。特に、複数の短絡接地器具を接地した場合、すべての短絡接地器具の取り外しやその確認をし忘れたりするおそれがある。
【０００４】
そこで、接地された電路に対する充電を確実に回避することができる、という接地状態管理装置が知られている（例えば、特許文献１参照。）。この装置は、接地装置を駆動制御する駆動制御部と、制御所に設置され駆動制御部に対して操作信号を送信する制御側端末と、電気所間の送電線路に取り付けられる短絡接地器具と、各電気所に設置され各短絡接地器具からの信号を受信して制御側端末に送信する受信装置と、を備える。そして、短絡接地器具は、電路が接地されている場合に接地状態を示す信号を発信し、制御側端末は、接地状態を示す信号を受信した場合に、駆動制御部による操作をロックし、接地状態を示す信号を受信しなくなった場合に、駆動制御部による操作をロック解除するものである。
【先行技術文献】
【特許文献】
【０００５】
【特許文献１】特開２０１５−２３７７８号公報
【発明の概要】
【発明が解決しようとする課題】
【０００６】
ところで、停電作業などにおいては、短絡接地器具が接地されているか取り外されているかを、作業監督者などが確実かつ正確に知りたい場合がある。例えば、作業手順書どおりに短絡接地器具が所定の位置に接地されたかを知りたい場合がある。しかも、作業監督者などが任意の場所で任意の時に、知得できることが望ましい。
【０００７】
しかしながら、従来は、人による確認と連絡によって知得していたため、時間と労力を要するばかりでなく、誤認したり連絡ミスしたりするおそれがある。また、特許文献１の技術では、制御所に制御側端末が設置されているため、制御所でなければ短絡接地器具の状態を確認することができない。
【０００８】
そこでこの発明は、短絡接地器具が接地されているか取り外されているかを、柔軟かつ確実に知得することが可能な、短絡接地システムおよび短絡接地用プログラムを提供することを目的とする。
【課題を解決するための手段】
【０００９】
上記課題を解決するために、請求項１の発明は、無充電の電路を接地するために該電路に接続される短絡接地器具と、前記短絡接地器具に設けられ、該短絡接地器具によって前記電路が接地された場合に接地信号を外部に送信し、接地が解除された場合に解除信号を外部に送信する検出送信器と、人が携帯し、前記検出送信器と通信自在に接続され表示部を有する携帯端末と、を備え、前記携帯端末は、前記短絡接地器具の識別情報を入力することで該短絡接地器具を特定する特定化手段と、前記特定された短絡接地器具の検出送信器から受信した接地信号および解除信号に基づいて、該短絡接地器具が接地されているか取り外されているかを示す状態情報を前記表示部に表示する状態表示手段と、を備えることを特徴とする短絡接地システムである。
【００１０】
この発明によれば、まず、携帯端末の特定化手段によって、状態を知りたい短絡接地器具の識別情報を入力して短絡接地器具を特定する。次に、この短絡接地器具によって電路が接地されると、検出送信器から接地信号が送信され、携帯端末の状態表示手段によって、この短絡接地器具が接地されていることが表示部に表示される。また、短絡接地器具による接地が解除されると、検出送信器から解除信号が送信され、携帯端末の状態表示手段によって、この短絡接地器具が取り外されていることが表示部に表示される。
【００１１】
請求項２の発明は、請求項１に記載の短絡接地システムにおいて、前記携帯端末は、前記短絡接地器具が接地される位置を取得する位置取得手段を備え、前記状態表示手段は、前記位置取得手段で取得された位置を地図上に前記状態情報とともに前記表示部に表示する、ことを特徴とする。
【００１２】
請求項３の発明は、請求項１または２に記載の短絡接地システムにおいて、前記検出送信器は、周辺を撮影するカメラを備え、前記解除信号を送信する際に前記カメラで撮影して画像を外部に送信し、前記状態表示手段は、前記検出送信器から受信した画像を前記状態情報とともに前記表示部に表示する、ことを特徴とする。
【００１３】
請求項４の発明は、無充電の電路を接地するために該電路に接続される短絡接地器具に、該短絡接地器具によって前記電路が接地された場合に接地信号を外部に送信し、接地が解除された場合に解除信号を外部に送信する検出送信器が設けられ、前記短絡接地器具が接地されているか取り外されているかを知得するための短絡接地用プログラムであって、コンピュータを、前記短絡接地器具の識別情報を入力することで該短絡接地器具を特定する特定化手段と、前記特定された短絡接地器具の検出送信器から受信した接地信号および解除信号に基づいて、該短絡接地器具が接地されているか取り外されているかを示す状態情報を表示する状態表示手段、として機能させることを特徴とする。
【発明の効果】
【００１４】
請求項１の発明によれば、短絡接地器具が接地されているか取り外されているかが、リアルタイムに携帯端末に表示されるため、この携帯端末を所持すれば、短絡接地器具が接地されているか取り外されているかを、柔軟かつ確実に知得することができる。つまり、携帯端末を所持していれば、任意の者（誰でも）が任意の時に任意の場所で、短絡接地器具が接地されているか取り外されているかを確実かつ正確に知ることができる。
【００１５】
一方、状態を知りたい短絡接地器具を予め特定し、この短絡接地器具の検出送信器からの信号に基づいて状態情報を表示する。つまり、特定されていない対象外の（状態を知る必要がない）短絡接地器具の状態表示は表示されないため、対象外の短絡接地器具が使用されている場合であっても、知りたい短絡接地器具の状態のみを容易かつ確実に知ることができる。しかも、状態を知りたい短絡接地器具の識別情報を入力することで、任意の短絡接地器具を特定することができる。つまり、任意の短絡接地器具を使用しても、その識別情報を入力するだけで、状態を確実かつ正確に知ることができる。
【００１６】
これらの結果、短絡接地器具の接地漏れ（忘れ）がなくなり、作業者の安全が確保されるとともに、短絡接地器具の取り外し漏れがなくなり、変電所からの広範囲な停電を防止することができる。また、短絡接地器具の取り外し中に送電された場合の感電や短絡アークによる熱傷を防止することができる。さらに、人による確認と連絡が不要になるため、時間と労力を著しく軽減することができるばかりでなく、誤認や連絡ミスがなくなり、誤操作・誤作業を防止することができる。
【００１７】
請求項２の発明によれば、短絡接地器具が接地されているか取り外されているかとともに、短絡接地器具が接地される位置が地図上に表示されるため、電路のどこが（どの短絡接地器具が）接地されているか接地されていないかを、容易かつ確実、正確に把握することができる。
【００１８】
請求項３の発明によれば、短絡接地器具による接地が解除されると、カメラで撮影された周辺の画像が状態情報（短絡接地器具が取り外されている旨）とともに表示される。このため、画像を見て、短絡接地器具が確実に取り外されているか否かを、正確に確認することができる。
【００１９】
請求項４の発明によれば、この短絡接地用プログラムを備えたコンピュータ（携帯端末）を所持していれば、請求項１の発明と同様に、任意の者が任意の時に任意の場所で、短絡接地器具が接地されているか取り外されているかを確実かつ正確に知ることができる。しかも、この短絡接地用プログラムを汎用のコンピュータに備えるだけでよいため、既存・既成のコンピュータを活用して、短絡接地器具の状態を確実かつ正確に知ることができる。
【図面の簡単な説明】
【００２０】
【図１】この発明の実施の形態に係る短絡接地システムを示す概略構成図である。
【図２】図１の短絡接地システムの短絡接地器具を示す正面図である。
【図３】図１の短絡接地システムの検出送信器を示す概略構成ブロック図である。
【図４】図１の短絡接地システムのスマートフォンを示す概略構成ブロック図である。
【図５】図４のスマートフォンに表示される、短絡接地器具の状態情報例を示す図である。
【発明を実施するための形態】
【００２１】
以下、この発明を図示の実施の形態に基づいて説明する。
【００２２】
図１は、この発明の実施の形態に係る短絡接地システム１を示す概略構成図である。この短絡接地システム１は、短絡接地器具２が接地されているか取り外されているか（非接地か）を知得するためのシステムであり、主として、短絡接地器具２と、検出送信器３と、スマートフォン（携帯端末）４と、を備える。
【００２３】
短絡接地器具２は、無充電の電路を接地するために該電路に接続される器具であり、既存・既製の短絡接地器具と同等の構成で、この実施の形態では、３つ（３相）の電線（電路）１００を接地するものであり、棒状の共用操作棒（間接活線工具）で操作可能となっている。すなわち、図２に示すように、電線１００を挟持する３つの接地金具２１を有し、各接地金具２１には、共用操作棒の連結部が装着される略円筒状の連結金具２２が、軸心回りに回転自在に設けられている。そして、共用操作棒を連結金具２２に装着し、共用操作棒を軸心回りに回転させることで、連結金具２２が回転して接地金具２１が電線１００を挟持したり挟持解除したりする。
【００２４】
さらに、各接地金具２１には支線ケーブル２３が接続され、各支線ケーブル２３の終端は、メインケーブル２４を介して導電クランプ２５に接続されている。そして、導電クランプ２５を接地部材２６に接続してアースすることで、電線１００が接地金具２１、支線ケーブル２３、メインケーブル２４を介して接地される。ここで、接地部材２６は、どのようなものでもよく、例えば、棒状体で地中に打ち込めるものであってもよいし、接地された既存の部材でもよい。
【００２５】
このような短絡接地器具２には、それぞれ固有の識別番号（識別情報）が割り当てられ、その識別番号が短絡接地器具２に記されている。
【００２６】
検出送信器３は、短絡接地器具２に設けられ、この短絡接地器具２によって電路が接地された場合に接地信号を外部に送信し、接地が解除された場合に解除信号を外部に送信する機器である。すなわち、図２に示すように、短絡接地器具２の支線ケーブル２３とメインケーブル２４の間に設けられ、図３に示すように、主として、検出部３１と、通信部３２と、カメラ３３と、ＧＰＳ部３４と、これらを制御などする中央処理部３５と、を備える。
【００２７】
検出部３１は、短絡接地器具２によって電線１００が接地されているか接地されていないか（接地が解除されたか）を検出・検知するものであり、この実施の形態では、特開２０１５−２３７７８号公報に記載の発明と同等の構成となっている。すなわち、電気回路を備え、導電クランプ２５を電導体である接地部材２６に接続すると、つまり、短絡接地器具２および電線１００を接地すると、閉回路が構成されて通電され、接地されたことを検出する。一方、導電クランプ２５を接地部材２６から取り外すと、つまり、短絡接地器具２および電線１００の接地を解除すると、開回路が構成されて通電が止まり、接地が解除されたことを検出する。なお、３相のうちの１相から信号を送り、他の相から信号が帰ってくるか否かを検出することで、短絡されているか否かを検出可能である。
【００２８】
通信部３２は、スマートフォン４と通信するための通信インターフェイスである。ここで、検出送信器３とスマートフォン４との通信は、特定周波数帯域の無線網や公共通信網、専用回線網などのいずれの通信網を介してもよい。
【００２９】
カメラ３３は、周辺を撮影するカメラであり、具体的には、導電クランプ２５の周辺を撮影する。そして、撮影された画像によって、導電クランプ２５が接地部材２６に接続されているか否か（接地されているか否か）が目視確認できるように、カメラ３３が配設されている。
【００３０】
ＧＰＳ部３４は、ＧＰＳ（Ｇｌｏｂａｌ  Ｐｏｓｉｔｉｏｎｉｎｇ  Ｓｙｓｔｅｍ：全地球測位システム）機能を備え、ＧＰＳ衛星から時刻信号電波を受信して、検出送信器３の現在位置の緯度と経緯とを演算するものである。このＧＰＳ部３４は、後述する短絡接地アプリケーション４５とともに位置取得手段を構成する。
【００３１】
そして、短絡接地器具２によって電線１００が接地されたことを検出部３１が検出すると、接地信号をスマートフォン４に送信する。このとき、カメラ３３で周辺を撮影してその画像をスマートフォン４に送信するとともに、ＧＰＳ部３４で自己位置を演算してその演算結果もスマートフォン４に送信する。また、短絡接地器具２による電線１００の接地が解除されたことを検出部３１が検出すると、解除信号をスマートフォン４に送信する。このとき、カメラ３３で周辺を撮影してその画像をスマートフォン４に送信するとともに、ＧＰＳ部３４で自己位置を演算してその演算結果もスマートフォン４に送信する。
【００３２】
このように、この実施の形態では、接地信号および解除信号を送信する際には、周辺の画像と現在位置を併せて送信する。また、接地信号などを送信する際には、短絡接地器具２の識別番号を付加して送信する。
【００３３】
スマートフォン４は、作業者（人）Ｍなどが携帯し、各検出送信器３と通信自在に接続され、表示部を有する端末である。このスマートフォン４は、既存・既製の多機能携帯端末で構成され、図４に示すように、主として、入力部４１と、表示部４２と、通信部４３と、メモリ４４と、短絡接地アプリケーション（特定化手段、状態表示手段、位置取得手段）４５と、これらを制御などする中央処理部４６と、を備える。
【００３４】
入力部４１は、外部から各種情報や指令を入力するためのインターフェイスであり、表示部４２は、各種情報を表示するディスプレイであり、通信部４３は、検出送信器３を含む外部と通信するための通信インターフェイスである。
【００３５】
メモリ４４は、各種情報を記憶する記憶部であり、記憶する情報には、グループ情報と作業情報を含む。グループ情報とは、後述する短絡接地アプリケーション４５によって特定された短絡接地器具２の識別番号を含む情報であり、グループ情報中の識別番号の短絡接地器具２が、接地されているか取り外されているかを表示部４２に表示する対象となる。ここで、記憶する識別番号の数は、１つでも複数でもよい。つまり、表示部４２に表示する対象の短絡接地器具２は、１つでも複数でもよい。
【００３６】
さらに、作業ごとにグループ情報を設け、作業ごとに表示対象の短絡接地器具２の識別番号を記憶することが可能となっている。これにより、複数の作業が予定されている場合でも、各作業に対して表示対象の短絡接地器具２を特定（グループ化）、記憶することができる。
【００３７】
作業情報とは、停電作業を含む各種作業に関する情報であり、作業対象の送配電系統図（地図）を含む。この送配電系統図には、図５に示すように、電柱Ｐや電線１００の識別情報や位置、配設状態などが含まれ、また、作業情報として、短絡接地器具２を取り付けて接地すべき接地位置Ｗ１、Ｗ２の位置情報（緯度と経緯、隣接する電柱Ｐの位置）が記憶されている。さらに、作業情報として、各接地位置Ｗ１、Ｗ２において、使用されるべき短絡接地器具２の識別番号が記憶されている。
【００３８】
このような作業情報は、作業ごとに記憶されている。また、スマートフォン４は、各作業の作業情報を記憶した作業サーバ（図示せず）と通信自在で、短絡接地アプリケーション４５を起動して作業を指定する（作業識別情報を入力する）ことで、その作業情報が作業サーバからダウンロードされてメモリ４４に記憶されるようになっている。
【００３９】
短絡接地アプリケーション４５は、特定の短絡接地器具２が接地されているか取り外されているかを知得、表示するための短絡接地用プログラムであり、主として、特定化手段と、状態表示手段と、位置取得手段としてスマートフォン４を機能させる。
【００４０】
特定化手段は、短絡接地器具２の識別番号を入力することでこの短絡接地器具２を特定・グループ化するタスクである。すなわち、このタスクを起動して、状態を知りたい短絡接地器具２の識別番号を入力部４１で入力すると、これらの短絡接地器具２の識別番号をグループ情報としてメモリ４４に記憶する。ここで、１つの作業（グループ情報）に対して複数の短絡接地器具２の識別番号を入力、記憶でき、さらに、複数の作業に対して作業ごとに短絡接地器具２の識別番号を入力、記憶できるようになっている。
【００４１】
状態表示手段は、特定された短絡接地器具２の検出送信器３から受信した接地信号および解除信号に基づいて、この短絡接地器具２が接地されているか取り外されているかを示す状態情報を表示部４２に表示するタスクである。すなわち、このタスクを起動して、対象の作業（グループ情報）を入力部４１で指定すると、この作業の作業情報とグループ情報をメモリ４４から読み取り、作業対象の送配電系統図を表示部４２に表示する。
【００４２】
次に、この作業（グループ情報）の短絡接地器具２の検出送信器３から接地信号を受信すると、図５に示すように、この短絡接地器具２が接地されている旨の状態情報を表示部４２に表示する。また、この作業の短絡接地器具２の検出送信器３から解除信号を受信すると、この短絡接地器具２が取り外されている（接地されていない）旨の状態情報を表示部４２に表示する。この際、図５に示すように、検出送信器３から受信した画像を状態情報とともに表示部４２に表示する。ここで、対象作業以外の検出送信器３から接地信号などを受信した場合には、表示部４２には表示しない。
【００４３】
位置取得手段は、短絡接地器具２が接地される位置を取得するタスクであり、この実施の形態では、２つの手段で取得する。第１の位置取得手段は、検出送信器３から現在位置を受信することで、短絡接地器具２が接地される位置を取得する。第２の位置取得手段は、この作業の作業情報として記憶されている、短絡接地器具２の接地位置Ｗ１、Ｗ２と使用・設置されるべき短絡接地器具２の識別番号とに基づいて、検出送信器３から受信した識別番号の短絡接地器具２が接地される位置を取得する。
【００４４】
そして、状態表示手段は、図５に示すように、位置取得手段で取得された位置Ｗ１、Ｗ２を送配電系統図上に状態情報とともに表示部４２に表示する。ここで、第１の位置取得手段と第２の位置取得手段による位置Ｗ１、Ｗ２が一致する場合に、位置Ｗ１、Ｗ２を送配電系統図上に表示し、一致しない場合には、一致しない旨を表示部４２に表示する。これにより、作業者Ｍなどは、計画・予定された短絡接地器具２が計画された位置で正しく使用・接地されているか否かを知得することができる。
【００４５】
次に、このような構成の短絡接地システム１の作用および、短絡接地システム１による短絡接地状態知得方法などについて説明する。
【００４６】
まず、スマートフォン４の短絡接地アプリケーション４５の特定化手段を起動し、上記のようにして、状態を知りたい短絡接地器具２を特定・指定する。次に、短絡接地アプリケーション４５の状態表示手段を起動すると位置取得手段も起動され、作業者Ｍなどは、スマートフォン４を所持して作業などを行う。
【００４７】
この状態で、特定された短絡接地器具２によって電線１００が接地されると、この短絡接地器具２の検出送信器３からスマートフォン４に、接地信号と周辺画像と現在位置が送信される。これを受けて、スマートフォン４の表示部４２に、この短絡接地器具２が接地されていることと、その位置と周辺画像が表示される。また、特定された短絡接地器具２による接地が解除されると、この短絡接地器具２の検出送信器３からスマートフォン４に、解除信号と周辺画像と現在位置が送信される。これを受けて、スマートフォン４の表示部４２に、この短絡接地器具２が接地されていないことと、その位置と周辺画像が表示される。
【００４８】
このように、この短絡接地システム１および短絡接地状態知得方法によれば、短絡接地器具２が接地されているか取り外されているかが、リアルタイムにスマートフォン４に表示されるため、このスマートフォン４を所持すれば、短絡接地器具２が接地されているか取り外されているかを、柔軟かつ確実に知得することができる。つまり、スマートフォン４を所持していれば、任意の者（誰でも）が任意の時に任意の場所で、短絡接地器具２が接地されているか取り外されているかを確実かつ正確に知ることができる。
【００４９】
一方、状態を知りたい短絡接地器具２を予め特定し、この短絡接地器具２の検出送信器３からの信号に基づいて状態情報を表示する。つまり、特定されていない対象外の（状態を知る必要がない）短絡接地器具２の状態表示は表示されないため、対象外の短絡接地器具２が使用されている場合であっても、知りたい短絡接地器具２の状態のみを容易かつ確実に知ることができる。しかも、状態を知りたい短絡接地器具２の識別情報を入力することで、任意の短絡接地器具２を特定することができる。つまり、任意の短絡接地器具２を使用しても、その識別情報を入力するだけで、状態を確実かつ正確に知ることができる。
【００５０】
これらの結果、短絡接地器具２の接地漏れ（忘れ）がなくなり、作業者Ｍの安全が確保されるとともに、短絡接地器具２の取り外し漏れがなくなり、変電所からの広範囲な停電を防止することができる。また、短絡接地器具２の取り外し中に送電された場合の感電や短絡アークによる熱傷を防止することができる。さらに、人による確認と連絡が不要になるため、時間と労力を著しく軽減することができるばかりでなく、誤認や連絡ミスがなくなり、誤操作・誤作業を防止することができる。
【００５１】
また、短絡接地器具２が接地されているか取り外されているかとともに、短絡接地器具２が接地される位置Ｗ１、Ｗ２が送配電系統図上に表示されるため、どの電線１００のどこが（どの短絡接地器具２が）接地されているか接地されていないかを、容易かつ確実、正確に把握することができる。
【００５２】
しかも、短絡接地器具２によって電線１００が接地されたり接地解除されたりすると、カメラ３３で撮影された周辺の画像が状態情報（短絡接地器具２が設置されているか否かの旨）とともに、スマートフォン４に表示される。このため、画像を見て、短絡接地器具２が確実に設置されているか取り外されているかを、正確に確認することができる。
【００５３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、短絡接地器具２に導電クランプ２５を備えているが、これに代わって、通常時は２つの先端部が接していないワニ口クリップを設け、接地部材２６をワニ口クリップで挟んで接続すると、接地部材２６を介して閉回路が構成されて通電され、接地されたことを検出するようにしてもよい。
【００５４】
また、地図である送配電系統図上に短絡接地器具２の位置を表示しているが、作業の手順・工程を指示・図示する作業手順書を地図とし、この作業手順書上に短絡接地器具２の位置を表示してもよい。さらに、上記の実施の形態では、２つの位置取得手段を備えるが、一方の位置取得手段のみを備えるようにしてもよい。
【００５５】
ところで、次のような短絡接地用プログラムを汎用のコンピュータ（携帯端末）にインストールすることで、上記のようなスマートフォン４を構成してもよい。
【００５６】
無充電の電線１００を接地するために該電線１００に接続される短絡接地器具２に、該短絡接地器具２によって電線１００が接地された場合に接地信号を外部に送信し、接地が解除された場合に解除信号を外部に送信する検出送信器３が設けられ、短絡接地器具２が接地されているか取り外されているかを知得するための短絡接地用プログラムであって、コンピュータを、
短絡接地器具２の識別情報を入力することで該短絡接地器具２を特定する特定化手段と、
特定された短絡接地器具２の検出送信器３から受信した接地信号および解除信号に基づいて、該短絡接地器具２が接地されているか取り外されているかを示す状態情報を表示する状態表示手段と、
短絡接地器具２が接地される位置を取得する位置取得手段、
として機能させることを特徴とする短絡接地用プログラム。
【００５７】
このような短絡接地用プログラムがインストールされたコンピュータを所持していれば、上記の実施の形態と同様に、任意の者が任意の時に任意の場所で、短絡接地器具２が接地されているか取り外されているかを確実かつ正確に知ることができる。しかも、この短絡接地用プログラムを汎用のコンピュータにインストールするだけでよいため、既存・既成のコンピュータを活用して、短絡接地器具２の状態を確実かつ正確に知ることができる。
【符号の説明】
【００５８】
１        短絡接地システム
２        短絡接地器具
３        検出送信器
３１      検出部
３２      通信部
３３      カメラ
３４      ＧＰＳ部（位置取得手段）
４        スマートフォン（携帯端末）
４１      入力部
４２      表示部
４３      通信部
４４      メモリ
４５      短絡接地アプリケーション（特定化手段、状態表示手段、位置取得手段）
１００    電線（電路）
Ｍ        作業者（人）
【図１】
0006613936.tif 000002
【図２】
0006613936.tif 000003
【図３】
0006613936.tif 000004
【図４】
0006613936.tif 000005
【図５】
0006613936.tif 000006